【手続補正書】
【提出日】平成20年9月11日(2008.9.11)
【手続補正１】
【補正対象書類名】特許請求の範囲
【補正対象項目名】請求項１２
【補正方法】変更
【補正の内容】
【請求項１２】
リモートコントローラより送信されてくるリモートコントロールコマンドを受信する受信手段をさらに含む
請求項１１に記載の多画面テレビジョン受像機。
【手続補正２】
【補正対象書類名】特許請求の範囲
【補正対象項目名】請求項１３
【補正方法】変更
【補正の内容】
【請求項１３】
前記複数のテレビジョン受像機のそれぞれについて、前記認識手段により認識された自己の状態を、テレビジョンコマンドとしてリモートコントローラに送信する送信手段をさらに含む
請求項１１に記載の多画面テレビジョン受像機。
【手続補正３】
【補正対象書類名】特許請求の範囲
【補正対象項目名】請求項１４
【補正方法】変更
【補正の内容】
【請求項１４】
前記実行手段は、少なくとも前記認識手段の認識結果、および、リモートコントロールコマンドに基づいて、自らをアクティブ状態にして音声出力させる、前記アクティブ状態に指定されているテレビジョン受像機の画像を拡大して、複数のテレビジョン受像機で拡大表示させる、前記アクティブ状態のテレビジョン受像機の画像を所定の時間遅延させて、順次複数のテレビジョン受像機でストロボ表示させる、または、メニュ画面を表示させ、設定操作を実行させる
請求項１１に記載の多画面テレビジョン受像機。
【手続補正４】
【補正対象書類名】明細書
【補正対象項目名】００６３
【補正方法】変更
【補正の内容】
【００６３】
受信コマンド認識部８１は、リモートコントローラ２より送信されてきたコマンドを認識し、チューナ制御部８２、画像変換部８５、音声生成部８７、座標認識部８９、および状態認識部９２を制御する。
【手続補正５】
【補正対象書類名】明細書
【補正対象項目名】００６４
【補正方法】変更
【補正の内容】
【００６４】
チューナ制御部８２は、制御部８１より供給されるチャンネル選択信号に基づいて、チューナ８３を制御し、所定のチャンネルに制御して、図示せぬアンテナより放送信号を受信させ、放送信号を画像生成部８４および音声生成部８７に供給する。画像生成部８４は、チューナ８３より供給された放送信号よりディスプレイで表示可能な画像信号を生成して画像変換部８５に供給する。画像変換部８５は、画像生成部８４より供給された画像信号を、ディスプレイ４５にそのまま表示するのみならず、受信コマンド認識部８１より供給されてくる指令に基づいて、例えば、ディスプレイ４５に所定の倍率で拡大して拡大表示したり、または、出力タイミング制御部８６からのタイミング信号に基づいて、所定時間だけ遅延させてストロボ表示させる。
【手続補正６】
【補正対象書類名】明細書
【補正対象項目名】００６９
【補正方法】変更
【補正の内容】
【００６９】
入力制御部１０１は、感圧センサからなる操作部６２の検知結果に基づいたAD変換部６３からの信号により、リモートコントローラ２のユーザにより入力された操作内容を認識し、判定部１０２に供給する。判定部１０２は、記憶部１０６に記憶されている多画面テレビジョン受像機１の各テレビジョン受像機１１の動作状態の情報に基づいて、操作内容を判定し、判定結果を生成部１０３に供給する。生成部１０３は、判定部１０２より供給された操作内容である判定結果に基づいて、多画面テレビジョン受像機１の各テレビジョン受像機１１に対するコマンドを生成し、送信制御部１０４に供給する。送信制御部１０４は、生成部１０３により生成されたコマンドに基づいて、発光部６６を制御してコマンドを光信号によりテレビジョン受像機１１に対して送信させる。
【手続補正７】
【補正対象書類名】明細書
【補正対象項目名】００７０
【補正方法】変更
【補正の内容】
【００７０】
受信制御部１０５は、多画面テレビジョン受像機１の発光部１３より送信されてくるコマンドの光信号を受光し、受光結果に対応するコマンドによりテレビジョン受像機１１の動作状態を認識して、認識した動作状態を記憶部１０６に記憶させる。動作状態とは、上述した基本状態、拡大表示状態、ストロボ表示状態、およびメニュ表示状態のいずれかである。点灯制御部１０７は、記憶部１０６に記憶されている各テレビジョン受像機１１の動作状態の情報に基づいて、LED６９を発光させる。
【手続補正８】
【補正対象書類名】明細書
【補正対象項目名】００８０
【補正方法】変更
【補正の内容】
【００８０】
この基本状態１５１から、例えば、拡大表示状態１５２に遷移させる場合、選択ボタン２１−１乃至２１−９のいずれかと共に、機能ボタン２２−１が同時に押下されるか、または、機能ボタン２２−１のみが押下されると、状態遷移１３５により、押下された選択ボタン２１に対応するチャンネル、または、アクティブ状態のテレビジョン受像機１１のチャンネルが、テレビジョン受像機１１−１乃至１１−９の全てにより拡大して表示される。図９の拡大表示状態１５２においては、選択ボタン２１−１と機能ボタン２２−１が同時に押下された場合が示されている。
【手続補正９】
【補正対象書類名】明細書
【補正対象項目名】００８４
【補正方法】変更
【補正の内容】
【００８４】
また、基本状態１５１からメニュ表示状態１５４に移行させる場合、選択ボタン２１−１乃至２１−９のいずれかと共に、機能ボタン２２−３が同時に押下されると、状態遷移１４１により、押下された選択ボタン２１に対応するテレビジョン受像機１１のメニュ画面が、テレビジョン受像機１１−１乃至１１−９のディスプレイ４５の全てにより表示される。図９のメニュ画面表示状態１５４においては、選択ボタン２１−１と機能ボタン２２−３が同時に押下された場合が示されている。
【手続補正１０】
【補正対象書類名】明細書
【補正対象項目名】０１０６
【補正方法】変更
【補正の内容】
【０１０６】
以上の処理により、多画面テレビジョン受像機１のテレビジョン受像機１１の動作に対応して、LED６９を発光させるようにすることができる。結果として、リモートコントローラ２の選択ボタン２１に設けられたLED６９の発光パターンを見るだけで、多画面テレビジョン受像機１の動作状態またはアクティブ状態のテレビジョン受像機１１を認識することが可能となる。
【手続補正１１】
【補正対象書類名】明細書
【補正対象項目名】０１２５
【補正方法】変更
【補正の内容】
【０１２５】
ステップＳ８３において、受信コマンド認識部８１は、画像変換部８５を制御して、自らのテレビジョン受像機１１の多画面テレビジョン受像機１における位置関係から、表示すべき画像の中心位置と拡大倍率を設定する。すなわち、例えば、テレビジョン受像機１１−５においては、多画面テレビジョン受像機１における中心位置であるので、画像変換部８５は、自らのディスプレイ４５の中心位置の画像を３倍に拡大した画像を、中心位置に合わせて表示するように設定することになる。
【手続補正１２】
【補正対象書類名】明細書
【補正対象項目名】０１６１
【補正方法】変更
【補正の内容】
【０１６１】
図２５は、図１，図２３の多画面テレビジョン受像機１，３０１およびリモートコントローラ２，３０２の電気的な内部構成をソフトウェアにより実現する場合のパーソナルコンピュータの一実施の形態の構成を示している。パーソナルコンピュータのCPU５０１は、パーソナルコンピュータの全体の動作を制御する。また、CPU５０１は、バス５０４および入出力インタフェース５０５を介してユーザからキーボードやマウスなどからなる入力部５０６から指令が入力されると、それに対応してROM(Read Only Memory)５０２に格納されているプログラムを実行する。あるいはまた、CPU５０１は、ドライブ５１０に接続された磁気ディスク、光ディスク、光磁気ディスク、または半導体メモリを含むリムーバルメディア５１１から読み出され、記憶部５０８にインストールされたプログラムを、RAM(Random Access Memory)５０３にロードして実行する。これにより、上述した図１，図２３の状態遷移プログラム編集装置１の機能が、ソフトウェアにより実現されている。さらに、CPU５０１は、通信部５０９を制御して、外部と通信し、データの授受を実行する。